(57)【要約】【課題】すり鉢状部の略全体を洗浄することができる小便器装置を提供することを目的とする。【解決手段】小便器に設けられたすり鉢状部であって、略鉛直方向に延びた立面と、前記立面の左右から前方へ向かって延びた縁面と、前記立面の下方部に接続され排出部を有する底面と、前記底面から上方へ向かって延び前記縁面と接続された立壁面と、を有するすり鉢状部と、整流吐水を実行し前記立面と前記縁面とを上方から下方へ向かって洗浄する第１の洗浄手段と、整流吐水により前記すり鉢状部を旋回する旋回流を形成し前記底面と前記立壁面とを洗浄する第２の洗浄手段と、を備えたことを特徴とする小便器装置が提供される。【選択図】図２
2017008660.tif 000002
【特許請求の範囲】
【請求項１】
小便器に設けられたすり鉢状部であって、
略鉛直方向に延びた立面と、
前記立面の左右から前方へ向かって延びた縁面と、
前記立面の下方部に接続され排出部を有する底面と、
前記底面から上方へ向かって延び前記縁面と接続された立壁面と、
を有するすり鉢状部と、
整流吐水を実行し前記立面と前記縁面とを上方から下方へ向かって洗浄する第１の洗浄手段と、
整流吐水により前記すり鉢状部を旋回する旋回流を形成し前記底面と前記立壁面とを洗浄する第２の洗浄手段と、
を備えたことを特徴とする小便器装置。
【請求項２】
前記第２の洗浄手段は、前記第１の洗浄手段が水の吐出を開始するタイミングと同じタイミングで、または第１の洗浄手段が水の吐出を開始した後に、水の吐出を開始することを特徴とする請求項１記載の小便器装置。
【請求項３】
前記第２の洗浄手段は、前記すり鉢状部の後方部の側方部に設けられた第１の吐水孔を有し、
前記第１の吐水孔から吐出した水は、前記すり鉢状部の前方部を通った後に前記すり鉢状部の後方部へ向かって旋回することを特徴とする請求項１または２に記載の小便器装置。
【請求項４】
前記第２の洗浄手段は、前記すり鉢状部の後方部の側方部に設けられ前記第１の吐水孔とは異なる第２の吐水孔をさらに有することを特徴とする請求項３記載の小便器装置。
【請求項５】
前記第２の洗浄手段は、前記第１の洗浄手段が水の吐出を停止するタイミングと同じタイミングで、または第１の洗浄手段が水の吐出を停止した後に、水の吐出を停止することを特徴とする請求項１〜４のいずれか１つに記載の小便器装置。
【発明の詳細な説明】
【技術分野】
【０００１】
本発明の態様は、一般的に、小便器装置に関する。
【背景技術】
【０００２】
小便器装置は、例えば駅やオフィスなどの公共の場に設置されることが比較的多い。公共の場に設置される小便器装置を一日間に使用する人数は比較的多いため、洗浄水量の削減が小便器装置に対して求められている。そのため、小便器装置では、種々の洗浄方式が提案されている（特許文献１）。
【０００３】
特許文献１に記載された小便器が備える吐水装置は、１個の噴霧ノズルと、２個の整流ノズルと、を有している。１個の噴霧ノズルは、便鉢部の左右中央の表面である第１表面に向けて噴霧状の洗浄水を吐水する。２個の整流ノズルは、（第１表面以外の便鉢部の表面である）第１表面の左右の第２表面、つまり便鉢部の表面の左右縁部に向けて整流状の洗浄水を吐水する。
【０００４】
しかし、特許文献１に記載された小便器は、便鉢部の左右中央の表面を噴霧状の洗浄水で洗浄し、便鉢部の表面の左右縁部を整流状の洗浄水で洗浄できる一方で、小便器のリップ部の先端や、リップ部の一部を形成する立壁部に十分な量の洗浄水を届けることが困難である。そのため、特許文献１に記載された小便器では、便鉢部の洗浄が不十分になるという問題がある。
【先行技術文献】
【特許文献】
【０００５】
【特許文献１】特開２０１４−２１１０３３号公報
【発明の概要】
【発明が解決しようとする課題】
【０００６】
本発明は、かかる課題の認識に基づいてなされたものであり、すり鉢状部の略全体を洗浄することができる小便器装置を提供することを目的とする。
【課題を解決するための手段】
【０００７】
第１の発明は、小便器に設けられたすり鉢状部であって、略鉛直方向に延びた立面と、前記立面の左右から前方へ向かって延びた縁面と、前記立面の下方部に接続され排出部を有する底面と、前記底面から上方へ向かって延び前記縁面と接続された立壁面と、を有するすり鉢状部と、整流吐水を実行し前記立面と前記縁面とを上方から下方へ向かって洗浄する第１の洗浄手段と、整流吐水により前記すり鉢状部を旋回する旋回流を形成し前記底面と前記立壁面とを洗浄する第２の洗浄手段と、を備えたことを特徴とする小便器装置である。
【０００８】
この小便器装置によれば、第２の洗浄手段から吐出した水は、すり鉢状部を旋回し、底面と、立壁面と、を洗浄する。そのため、第２の洗浄手段から吐出した水がすり鉢状部に留まる時間は、水がすり鉢状部を旋回しない場合と比較して長い。これにより、すり鉢状部を効率よく洗浄することができる。そのため、すり鉢状部の略全体を洗浄することができる。
【０００９】
第２の発明は、第１の発明において、前記第２の洗浄手段は、前記第１の洗浄手段が水の吐出を開始するタイミングと同じタイミングで、または第１の洗浄手段が水の吐出を開始した後に、水の吐出を開始することを特徴とする小便器装置である。
【００１０】
この小便器装置によれば、第１の洗浄手段によって立面を伝って洗浄された尿や体毛などを第２の洗浄手段によって確実に排出部へ流すことができる。
【００１１】
第３の発明は、第１または２の発明において、前記第２の洗浄手段は、前記すり鉢状部の後方部の側方部に設けられた第１の吐水孔を有し、前記第１の吐水孔から吐出した水は、前記すり鉢状部の前方部を通った後に前記すり鉢状部の後方部へ向かって旋回することを特徴とする小便器装置である。
【００１２】
この小便器装置によれば、第１の洗浄手段から吐出した水が第２の洗浄手段から吐出した水と干渉しても、水同士が干渉するタイミングは、第２の洗浄手段から吐出した水がすり鉢状部の前方部を通った後である。そのため、第１の洗浄手段から吐出した水が、第２の洗浄手段から吐出した水の旋回流による洗浄に影響を与えることを抑えることができる。これにより、すり鉢状部の略全体を効率よく洗浄することができる。
【００１３】
第４の発明は、第３の発明において、前記第２の洗浄手段は、前記すり鉢状部の後方部の側方部に設けられ前記第１の吐水孔とは異なる第２の吐水孔をさらに有することを特徴とする小便器装置である。
【００１４】
この小便器装置によれば、すり鉢状部をより確実に洗浄することができる。そのため、すり鉢状部の略全体をより確実に洗浄することができる。
【００１５】
第５の発明は、第１〜４のいずれか１つの発明において、前記第２の洗浄手段は、前記第１の洗浄手段が水の吐出を停止するタイミングと同じタイミングで、または第１の洗浄手段が水の吐出を停止した後に、水の吐出を停止することを特徴とする小便器装置である。
【００１６】
この小便器装置によれば、第１の洗浄手段によって洗い流された尿や体毛などがすり鉢状部に残存することを抑制することができる。そのため、小便器装置がきれいな状態を長時間にわたって維持することができる。
【発明の効果】
【００１７】
本発明の態様によれば、すり鉢状部の略全体を洗浄することができる小便器装置が提供される。
【図面の簡単な説明】
【００１８】
【図１】本発明の実施の形態にかかる小便器装置の要部構成を表すブロック図である。
【図２】本実施形態にかかる小便器装置を表す模式図である。
【図３】図２（ａ）に表した切断面Ｃ−Ｃにおける模式的断面図である。
【図４】図２（ａ）に表した切断面Ｃ−Ｃにおける模式的断面図である。
【図５】本実施形態の第１の吐水孔から吐出した水の流れの一例を例示する模式的断面図である。
【図６】本発明の他の実施の形態にかかる小便器装置の要部構成を表すブロック図である。
【図７】本実施形態の第１の吐水孔および第２の吐水孔から吐出した水の流れの一例を例示する模式的断面図である。
【図８】本実施形態にかかる小便器装置の動作を例示するタイミングチャート図である。
【図９】本実施形態にかかる小便器装置の他の動作を例示するタイミングチャート図である。
【図１０】本実施形態にかかる小便器装置のさらに他の動作を例示するタイミングチャート図である。
【図１１】本実施形態にかかる小便器装置のさらに他の動作を例示するタイミングチャート図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる小便器装置の要部構成を表すブロック図である。  なお、図１は、水路系と電気系との要部構成を併せて表している。
【００２０】
本実施形態にかかる小便器装置１００は、第１の洗浄手段１４０と、第２の洗浄手段１６０と、小便器１７０と、を備える。本実施形態にかかる小便器装置１００は、制御部１１０と、人体検知手段１２０と、流路切替弁１３０と、第１の電磁弁１５１と、第２の電磁弁１５２と、を備えていてもよい。小便器１７０は、男子用小便器である。小便器１７０は、すり鉢状部１７１を有する。
【００２１】
第１の洗浄手段１４０は、スプレッダ１４１を有し、流路切替弁１３０を介して給水源から供給された水を小便器１７０のすり鉢状部１７１に供給する。第１の洗浄手段１４０は、整流吐水を実行し、すり鉢状部１７１を上方から下方へ向かって洗浄する。
【００２２】
第２の洗浄手段１６０は、第１の吐水孔１６１を有し、流路切替弁１３０を介して給水源から供給された水を第１の吐水孔１６１から小便器１７０のすり鉢状部１７１に供給する。第２の洗浄手段１６０は、整流吐水を実行し、第１の吐水孔１６１から吐出した水がすり鉢状部１７１を旋回する旋回洗浄を行う。旋回洗浄の詳細については、後述する。
【００２３】
第１の電磁弁１５１は、制御部１１０から送信される信号に基づいて開閉し、水の供給を制御する。例えば、第１の電磁弁１５１は、制御部１１０から送信される信号に基づいて開き、流路切替弁１３０を介して給水源から供給された水を第１の洗浄手段１４０へ通す。一方で、例えば、第１の電磁弁１５１は、制御部１１０から送信される信号に基づいて閉じ、流路切替弁１３０を介して給水源から供給された水を止める。
【００２４】
第２の電磁弁１５２は、制御部１１０から送信される信号に基づいて開閉し、水の供給を制御する。例えば、第２の電磁弁１５２は、制御部１１０から送信される信号に基づいて開き、流路切替弁１３０を介して給水源から供給された水を第２の洗浄手段１６０へ通す。一方で、例えば、第２の電磁弁１５２は、制御部１１０から送信される信号に基づいて閉じ、流路切替弁１３０を介して給水源から供給された水を止める。
【００２５】
人体検知手段１２０は、小便器１７０の前方にいる使用者、すなわち小便器１７０から前方へ離間した位置に存在する使用者を検知することができる。このような人体検知手段１２０としては、例えば、赤外線投受光式の測距センサや、焦電センサや、ドップラーセンサなどのマイクロ波センサなどを用いることができる。
【００２６】
図２は、本実施形態にかかる小便器装置を表す模式図である。  
図３は、図２（ａ）に表した切断面Ｃ−Ｃにおける模式的断面図である。  
図４は、図２（ａ）に表した切断面Ｃ−Ｃにおける模式的断面図である。  
図２（ａ）は、本実施形態にかかる小便器装置を表す模式的平面図である。図２（ｂ）は、図２（ａ）に表した切断面Ａ−Ａにおける模式的断面図である。図２（ｃ）は、図２（ａ）に表した切断面Ｂ−Ｂにおける模式的断面図である。
【００２７】
図２（ａ）〜図２（ｃ）に表したように、本実施形態にかかる小便器装置１００の小便器１７０は、すり鉢状部１７１を有する。すり鉢状部１７１は、立面１７２と、縁面１７３と、底面１７４と、立壁面１７５と、を有する。立面１７２は、すり鉢状部１７１の後方部において略鉛直方向に延びている。図２（ｂ）に表したように、立面１７２は、湾曲している。このように、本願明細書では、表面が湾曲していても全体的にみて略鉛直方向に延びている場合には、立面１７２は、略鉛直方向に延びているものとする。
【００２８】
本願明細書においては、通常使用状態で小便器１７０の方向を向いた使用者からみて上方を「上方」とし、通常使用状態で小便器１７０の方向を向いた使用者からみて下方を「下方」とする。また、通常使用状態で小便器１７０の方向を向いて小便器１７０の前に立った使用者からみて手前側を「前方」とし、通常使用状態で小便器１７０の方向を向いて小便器１７０の前に立った使用者からみて奥側を「後方」とする。また、通常使用状態で小便器１７０の方向を向いて小便器１７０の前に立った使用者からみて右側を「右側方」とし、通常使用状態で小便器１７０の方向を向いて小便器１７０の前に立った使用者からみて左側を「左側方」とする。
【００２９】
底面１７４は、立面１７２と下方部において接続され、排出部１７７を有する。排出部１７７は、すり鉢状部１７１に排出された尿およびすり鉢状部１７１に供給された洗浄水を図示しない配管へ排出する。排出部１７７は、トラップ部（図示せず）において封水を形成する。これにより、排出部１７７は、小便器装置１００の後方に設けられた図示しない横引排水配管などから悪臭や害虫類などがトイレ室などに侵入することを防止する。
【００３０】
縁面１７３は、右縁面１７３ａと、左縁面１７３ｂと、を有し、立面１７２の左右から前方へ向かって延びている。立壁面１７５は、右立壁面１７５ａと、左立壁面１７５ｂと、を有する。立壁面１７５は、底面１７４から上方へ向かって延び、縁面１７３と接続されている。
【００３１】
本実施形態にかかる小便器装置１００の小便器１７０は、棚部１７８をさらに有する。棚部１７８は、縁面１７３に設けられ、右棚部１７８ａと、左棚部１７８ｂと、を有する。右棚部１７８ａは、右縁面１７３ａに設けられている。左棚部１７８ｂは、左縁面１７３ｂに設けられている。
【００３２】
図２（ａ）、図２（ｂ）、図３、および図４に表したように、例えば、第１の洗浄手段１４０のスプレッダ１４１は、小便器１７０のすり鉢状部１７１の上部に設けられている。なお、スプレッダ１４１の設置形態は、図２（ａ）、図２（ｂ）、図３、および図４に表した例に限定されるわけではない。
【００３３】
図２（ｂ）、図２（ｃ）、および図３に表したように、第２の洗浄手段１６０の第１の吐水孔１６１は、すり鉢状部１７１の後方部の側方部に設けられている。例えば、第２の洗浄手段１６０の第１の吐水孔１６１は、左棚部１７８ｂの下方の部分であって、左縁面１７３ｂの部分に設けられている。なお、第１の吐水孔１６１の設置形態は、図２（ｂ）、図２（ｃ）、および図３に表した例に限定されるわけではない。
【００３４】
本発明者が得た知見によれば、図２（ａ）〜図２（ｃ）に表した領域Ａ１は、他の領域と比較して、尿が付きやすい領域である。例えば、領域Ａ１は、立面１７２の少なくとも一部と、縁面１７３の少なくとも一部と、を含む領域である。また、図２（ｂ）および図２（ｃ）に表した領域Ａ２は、他の領域と比較して体毛および痰が付きやすい領域である。例えば、領域Ａ２は、底面１７４の少なくとも一部と、立壁面１７５の少なくとも一部と、を含む領域である。
【００３５】
これに対して、本実施形態にかかる小便器装置１００は、図４に表した矢印Ａ１１〜矢印Ａ１６のように、スプレッダ１４１は、立面１７２および縁面１７３に水を供給する。スプレッダ１４１から吐出した水の一部は、棚部１７８の上面を流れる。これにより、スプレッダ１４１は、縁面１７３に水を効率的に供給することができる。
【００３６】
しかし、底面１４４および立壁面１７５には、第１の洗浄手段１４０のスプレッダ１４１から供給される水によっては洗浄されない箇所（不洗部箇所）が存在する。そのため、第１の洗浄手段１４０だけでは、すり鉢状部１７１の略全体を洗浄することができないことがある。
【００３７】
これに対して、図４に表した矢印Ａ２１および矢印Ａ２２のように、第２の洗浄手段１６０は、底面１７４と、立壁面１７５と、を洗浄する。つまり、第２の洗浄手段１６０の第１の吐水孔１６１からすり鉢状部１７１に供給された水は、底面１７４と、立壁面１７５と、を流れる。  
第２の洗浄手段１６０の第１の吐水孔１６１からすり鉢状部１７１に供給された水の流れについて、図面を参照しつつさらに説明する。
【００３８】
図５は、本実施形態の第１の吐水孔から吐出した水の流れの一例を例示する模式的断面図である。  
図５は、図２（ａ）に表した切断面Ｂ−Ｂにおける模式的断面図である。
【００３９】
図５に表した矢印のように、第１の吐水孔１６１から吐出した水（第１の吐水孔１６１からすり鉢状部１７１に供給された水）は、すり鉢状部１７１を旋回する。言い換えれば、第１の吐水孔１６１から吐出した水は、すり鉢状部１７１を旋回する旋回流を形成し、旋回洗浄を行う。
【００４０】
第１の吐水孔１６１から吐出した水は、まず、すり鉢状部１７１の前方部（リップ部）１７１ａを通る。その後、すり鉢状部１７１の前方部１７１ａを通った水は、すり鉢状部１７１の後方部へ向かって流れる。つまり、第１の吐水孔１６１から吐出した水は、すり鉢状部１７１の前方部を通った後に、すり鉢状部１７１の後方部へ向かって旋回する。
【００４１】
本実施形態によれば、第１の吐水孔１６１から吐出した水は、すり鉢状部１７１を旋回し、底面１７４と、立壁面１７５と、を洗浄する。そのため、第１の吐水孔１６１から吐出した水がすり鉢状部１７１に留まる時間は、水がすり鉢状部１７１を旋回しない場合と比較して長い。これにより、すり鉢状部１７１を効率よく洗浄することができる。そのため、すり鉢状部１７１の略全体を洗浄することができる。
【００４２】
また、第１の吐水孔１６１から吐出した水は、すり鉢状部１７１の前方部を通った後に、すり鉢状部１７１の後方部へ向かって旋回する。そのため、第１の洗浄手段１４０から吐出した水が第２の洗浄手段１６０から吐出した水と干渉しても、水同士が干渉するタイミングは、第２の洗浄手段１６０から吐出した水がすり鉢状部１７１の前方部１７１ａを通った後である。そのため、第１の吐水孔１６１から吐出した水が、第２の洗浄手段１６０から吐出した水の旋回流による洗浄に影響を与えることを抑えることができる。これにより、すり鉢状部１７１の略全体を効率よく洗浄することができる。
【００４３】
図６は、本発明の他の実施の形態にかかる小便器装置の要部構成を表すブロック図である。  
図７は、本実施形態の第１の吐水孔および第２の吐水孔から吐出した水の流れの一例を例示する模式的断面図である。  
なお、図６は、水路系と電気系との要部構成を併せて表している。図７は、図２（ａ）に表した切断面Ｂ−Ｂにおける模式的断面図に相当する。
【００４４】
本実施形態にかかる小便器装置１００ａは、図１〜図５に関して前述した小便器装置１００と比較して、第２の吐水孔１６２をさらに有する。具体的には、本実施形態の第２の洗浄手段１６０は、第２の吐水孔１６２をさらに有する。図７に表したように、第２の吐水孔１６２は、すり鉢状部１７１の後方部の側方部に設けられている。例えば、第２の吐水孔１６２は、左棚部１７８ｂの下方の部分であって、第１の吐水孔１６１からみて底面１７４の側に設けられている。
【００４５】
図７に表した破線の矢印のように、第２の吐水孔１６２から吐出した水（第２の吐水孔１６２からすり鉢状部１７１に供給された水）は、すり鉢状部１７１を旋回する。言い換えれば、第２の吐水孔１６２から吐出した水は、すり鉢状部１７１を旋回する旋回流を形成し、旋回洗浄を行う。図７に表したように、例えば、第２の吐水孔１６２から吐出した水により形成された旋回流は、第１の吐水孔１６１から吐出した水により形成された旋回流の内側を通る。
【００４６】
第２の吐水孔１６２から吐出した水は、まず、すり鉢状部１７１の前方部１７１ａを通る。その後、すり鉢状部１７１の前方部１７１ａを通った水は、すり鉢状部１７１の後方部へ向かって流れる。つまり、第２の吐水孔１６２から吐出した水は、すり鉢状部１７１の前方部を通った後に、すり鉢状部１７１の後方部へ向かって旋回する。
【００４７】
他の構造は、図１〜図５に関して前述した小便器装置１００の構造と同様である。また、図７に表した実線の矢印のように、第１の吐水孔１６１から吐出した水の流れは、図５に関して前述した通りである。
【００４８】
本実施形態によれば、すり鉢状部１７１をより確実に洗浄することができる。そのため、すり鉢状部１７１の略全体をより確実に洗浄することができる。また、図１〜図５に関して前述した小便器装置１００の効果と同様の効果が得られる。
【００４９】
図８は、本実施形態にかかる小便器装置の動作を例示するタイミングチャート図である。  
なお、図８〜図１１に表したタイミングチャート図においては、図１〜図５に関して前述した小便器装置１００を例に挙げて説明する。
【００５０】
まず、人体検知手段１２０が小便器１７０の前方において使用者を検知すると、制御部１１０は、第１の電磁弁１５１を制御し、第１の洗浄手段１４０のスプレッダ１４１からすり鉢状部１７１に水を供給する（タイミングｔ１）。つまり、第１の洗浄手段１４０は、使用者が小便器１７０に近づき小便器１７０を使用する前の状態においてスプレッダ１４１からすり鉢状部１７１に水を供給する（タイミングｔ１）。
【００５１】
続いて、人体検知手段１２０が小便器１７０の前方で静止した使用者を検知すると、制御部１１０は、第１の電磁弁１５１を制御し、スプレッダ１４１から供給される水を停止する（タイミングｔ２）。なお、制御部１１０は、人体検知手段１２０が小便器１７０の前方で静止した使用者を検知した信号に基づいてではなく、スプレッダ１４１が供給した水の量に基づいてスプレッダ１４１から供給される水を停止してもよい。
【００５２】
図８に表した第１の洗浄手段１４０に関する「オン」は、第１の洗浄手段１４０がすり鉢状部１７１に水を供給する動作あるいは状態を表す。図８に表した第１の洗浄手段１４０に関する「オフ」は、第１の洗浄手段１４０がすり鉢状部１７１に水を供給しない動作あるいは状態を表す。これは、他の動作に関して後述する図９〜図１１において同様である。
【００５３】
続いて、使用者が排尿行為を終了し、人体検知手段１２０が小便器１７０の前方から遠ざかる使用者を検知すると、制御部１１０は、第１の電磁弁１５１を制御し、第１の洗浄手段１４０のスプレッダ１４１からすり鉢状部１７１に水を供給する（タイミングｔ３）。つまり、第１の洗浄手段１４０は、使用者が小便器１７０を使用した後に水の吐出を開始する。
【００５４】
また、制御部１１０は、第２の電磁弁１５２を制御し、第２の洗浄手段１６０の第１の吐水孔１６１からすり鉢状部１７１に水を供給する（タイミングｔ３）。つまり、第２の洗浄手段１６０は、第１の洗浄手段１４０が水の吐出を開始するタイミングと同じタイミングで水の吐出を開始する（タイミングｔ３）。
【００５５】
所定の量の水がすり鉢状部１７１に供給されると、制御部１１０は、第１の電磁弁１５１および第２の電磁弁１５２を制御し、スプレッダ１４１から供給される水および第１の吐水孔１６１から供給される水を停止する（タイミングｔ４）。つまり、第２の洗浄手段１６０は、第１の洗浄手段１４０が水の吐出を停止するタイミングと同じタイミングで水の吐出を停止する（タイミングｔ４）。
【００５６】
図８に表した第２の洗浄手段１６０に関する「オン」は、第２の洗浄手段１６０がすり鉢状部１７１に水を供給する動作あるいは状態を表す。図８に表した第２の洗浄手段１６０に関する「オフ」は、第２の洗浄手段１６０がすり鉢状部１７１に水を供給しない動作あるいは状態を表す。これは、他の動作に関して後述する図９〜図１１において同様である。
【００５７】
続いて、使用者が小便器１７０の前方に存在しなくなったことを人体検知手段１２０が検知すると、制御部１１０は、第１の電磁弁１５１を制御し、スプレッダ１４１からすり鉢状部１７１に水を供給する（タイミングｔ５）。所定の量の水がすり鉢状部１７１に供給されると、制御部１１０は、第１の電磁弁１５１を制御し、スプレッダ１４１から供給される水を停止する（タイミングｔ６）。これにより、小便器１７０のトラップ部の内部の封水を新たに供給された水で置換することができる。
【００５８】
図８に表した動作の例によれば、第１の洗浄手段１４０が水の吐出を開始するタイミングと同じタイミングで第２の洗浄手段１６０が水の吐出を開始するため、第１の洗浄手段１４０によって立面１７２を伝って洗浄された尿や体毛などを第２の洗浄手段１６０によって確実に排出部１７７へ流すことができる。  
また、第１の洗浄手段１４０が水の吐出を停止するタイミングと同じタイミングで第２の洗浄手段１６０が水の吐出を停止するため、第１の洗浄手段１４０によって洗い流された尿や体毛などがすり鉢状部１７１に残存することを抑制することができる。そのため、小便器装置１００がきれいな状態を長時間にわたって維持することができる。
【００５９】
図９は、本実施形態にかかる小便器装置の他の動作を例示するタイミングチャート図である。  
タイミングｔ１１およびタイミングｔ１２における動作は、図８に関して前述したタイミングｔ１およびタイミングｔ２における動作と同じである。
【００６０】
続いて、使用者が排尿行為を終了し、人体検知手段１２０が小便器１７０の前方から遠ざかる使用者を検知すると、制御部１１０は、第１の電磁弁１５１を制御し、第１の洗浄手段１４０のスプレッダ１４１からすり鉢状部１７１に水を供給する（タイミングｔ１３）。つまり、第１の洗浄手段１４０は、使用者が小便器１７０を使用した後に水の吐出を開始する。
【００６１】
続いて、第２の洗浄手段１６０は、第１の洗浄手段１４０が水の吐出を開始した後に水の吐出を開始する（タイミングｔ１４）。
【００６２】
続いて、所定の量の水がすり鉢状部１７１に供給されると、制御部１１０は、第１の電磁弁１５１および第２の電磁弁１５２を制御し、スプレッダ１４１から供給される水および第１の吐水孔１６１から供給される水を停止する（タイミングｔ１５）。つまり、第２の洗浄手段１６０は、第１の洗浄手段１４０が水の吐出を停止するタイミングと同じタイミングで水の吐出を停止する（タイミングｔ１５）。
【００６３】
タイミングｔ１６およびタイミングｔ１７における動作は、図８に関して前述したタイミングｔ５およびタイミングｔ６における動作と同じである。
【００６４】
図９に表した動作の例によれば、第１の洗浄手段１４０が水の吐出を開始した後に第２の洗浄手段１６０が水の吐出を開始するため、洗浄水量の削減を行うとともに、第１の洗浄手段１４０によって立面１７２を伝って洗浄された尿や体毛などを第２の洗浄手段１６０によって確実に排出部１７７へ流すことができる。  
また、第１の洗浄手段１４０が水の吐出を停止するタイミングと同じタイミングで第２の洗浄手段１６０が水の吐出を停止するため、第１の洗浄手段１４０によって洗い流された尿や体毛などがすり鉢状部１７１に残存することを抑制することができる。そのため、小便器装置１００がきれいな状態を長時間にわたって維持することができる。
【００６５】
図１０は、本実施形態にかかる小便器装置のさらに他の動作を例示するタイミングチャート図である。  
タイミングｔ２１〜タイミングｔ２４における動作は、図９に関して前述したタイミングｔ１１およびタイミングｔ１４における動作と同じである。
【００６６】
続いて、所定の量の水がすり鉢状部１７１に供給されると、制御部１１０は、第１の電磁弁１５１を制御し、スプレッダ１４１から供給される水を停止する（タイミングｔ２５）。続いて、所定の量の水がすり鉢状部１７１に供給されると、制御部１１０は、第２の電磁弁１５２を制御し、第１の吐水孔１６１から供給される水を停止する（タイミングｔ２６）。つまり、第２の洗浄手段１６０は、第１の洗浄手段１４０が水の吐出を停止した後に水の吐出を停止する（タイミングｔ２６）。
【００６７】
タイミングｔ２７およびタイミングｔ２８における動作は、図８に関して前述したタイミングｔ５およびタイミングｔ６における動作と同じである。
【００６８】
図１０に表した動作の例によれば、第１の洗浄手段１４０が水の吐出を開始した後に第２の洗浄手段１６０が水の吐出を開始するため、第１の洗浄手段１４０によって立面１７２を伝って洗浄された尿や体毛などを第２の洗浄手段１６０によってより確実に排出部１７７へ流すことができる。  
また、第１の洗浄手段１４０が水の吐出を停止した後に第２の洗浄手段１６０が水の吐出を停止するため、第１の洗浄手段１４０によって洗い流された尿や体毛などがすり鉢状部１７１に残存することをより抑制することができる。そのため、小便器装置１００がよりきれいな状態を長時間にわたって維持することができる。
【００６９】
図１１は、本実施形態にかかる小便器装置のさらに他の動作を例示するタイミングチャート図である。  
タイミングｔ３１およびタイミングｔ３２における動作は、図８に関して前述したタイミングｔ１およびタイミングｔ２における動作と同じである。
【００７０】
続いて、使用者が排尿行為を終了し、人体検知手段１２０が小便器１７０の前方から遠ざかる使用者を検知すると、制御部１１０は、第１の電磁弁１５１を制御し、第１の洗浄手段１４０のスプレッダ１４１からすり鉢状部１７１に水を供給する（タイミングｔ３３）。つまり、第１の洗浄手段１４０は、使用者が小便器１７０を使用した後に水の吐出を開始する。
【００７１】
続いて、所定の量の水がすり鉢状部１７１に供給されると、制御部１１０は、第１の電磁弁１５１を制御し、スプレッダ１４１から供給される水を停止する（タイミングｔ３４）。
【００７２】
続いて、制御部１１０は、第２の電磁弁１５２を制御し、第１の吐水孔１６１からすり鉢状部１７１に水を供給する（タイミングｔ３５）。つまり、第２の洗浄手段１６０は、第１の洗浄手段１４０が水の吐出を停止した後に水の吐出を開始する。  
続いて、所定の量の水がすり鉢状部１７１に供給されると、制御部１１０は、第２の電磁弁１５２を制御し、第１の吐水孔１６１から供給される水を停止する（タイミングｔ３６）。
【００７３】
タイミングｔ３７およびタイミングｔ３８における動作は、図８に関して前述したタイミングｔ５およびタイミングｔ６における動作と同じである。
【００７４】
図１１に表した動作の例によれば、第１の洗浄手段１４０が水の吐出を停止した後に第２の洗浄手段１６０が水の吐出を開始するため、第１の洗浄手段１４０によって立面１７２を伝って洗浄された尿や体毛などを第２の洗浄手段１６０によってより確実に排出部１７７へ流すことができる。  
また、第１の洗浄手段１４０が水の吐出を停止した後に第２の洗浄手段１６０が水の吐出を停止するため、第１の洗浄手段１４０によって洗い流された尿や体毛などがすり鉢状部１７１に残存することをより抑制することができる。そのため、小便器装置１００がよりきれいな状態を長時間にわたって維持することができる。
【００７５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、第１の洗浄手段１４０および第２の洗浄手段１６０などが備える各要素の形状、寸法、材質、配置などや第１の洗浄手段１４０および第２の洗浄手段１６０の設置形態などは、例示したものに限定されるわけではなく適宜変更することができる。
【符号の説明】
【００７６】
１００、１００ａ 小便器装置、  １１０ 制御部、  １２０ 人体検知手段、  １３０ 流路切替弁、  １４０ 第１の洗浄手段、  １４１ スプレッダ、  １４４ 底面、  １５１ 第１の電磁弁、  １５２ 第２の電磁弁、  １６０ 第２の洗浄手段、  １６１ 第１の吐水孔、  １６２ 第２の吐水孔、  １７０ 小便器、  １７１ すり鉢状部、  １７１ａ 前方部、  １７２ 立面、  １７３ 縁面、  １７３ａ 右縁面、  １７３ｂ 左縁面、  １７４ 底面、  １７５ 立壁面、  １７５ａ 右立壁面、  １７５ｂ 左立壁面、  １７７ 排出部、  １７８ 棚部、  １７８ａ 右棚部、  １７８ｂ 左棚部
【図１】
2017008660.tif 000003
【図２】
2017008660.tif 000004
【図３】
2017008660.tif 000005
【図４】
2017008660.tif 000006
【図５】
2017008660.tif 000007
【図６】
2017008660.tif 000008
【図７】
2017008660.tif 000009
【図８】
2017008660.tif 000010
【図９】
2017008660.tif 000011
【図１０】
2017008660.tif 000012
【図１１】
2017008660.tif 000013